(57)【要約】【課題】フィルタと放熱板との間隔を適正に規制する。【解決手段】吸着ユニットは、板状に形成されるフィルタと、フィルタの一部に対向して配置される放熱板と、放熱板を加熱することにより放熱板を介してフィルタの一部を加熱するヒータと、放熱板に対してフィルタを移動させる駆動部と、放熱板を覆って加熱空間を形成するケースと、を備える。フィルタの外周部及び内周部の少なくとも一方には、フィルタの縁部を覆うカバーが設けられる。カバー、放熱板及びケースの少なくとも１つには、フィルタの厚み方向におけるフィルタと放熱板との間隔を規制する位置規制手段が設けられる。【選択図】図１２
2018140372.tif 000002
【特許請求の範囲】
【請求項１】
板状に形成されるフィルタと、
前記フィルタの一部に対向して配置される放熱板と、
前記放熱板を加熱することにより前記放熱板を介して前記フィルタの一部を加熱するヒータと、
前記放熱板に対して前記フィルタを移動させる駆動部と、
前記放熱板を覆って加熱空間を形成するケースと、を備え、
前記フィルタの外周部及び内周部の少なくとも一方には、前記フィルタの縁部を覆うカバーが設けられ、
前記カバー、前記放熱板及び前記ケースの少なくとも１つには、前記フィルタの厚み方向における前記フィルタと前記放熱板との間隔を規制する位置規制手段が設けられている、吸着ユニット。
【請求項２】
前記位置規制手段は、前記フィルタに対向する前記放熱板の対向面、前記フィルタに対向する前記ケースの対向面、及び前記放熱板に対向する前記カバーの対向面の少なくとも１つに設けられ、前記フィルタの厚み方向に突出する凸部を有する、
請求項１に記載の吸着ユニット。
【請求項３】
前記放熱板は、前記フィルタを挟んで対向して配置される一組の第１板と第２板を有し、
前記凸部は、前記第１板及び前記第２板に対向する前記カバーの各対向面にそれぞれ形成され、
前記フィルタの厚み方向において、前記第１板と前記第２板との対向間隔をＤ、前記カバーの前記各凸部の先端間の厚みをＴとしたとき、
Ｄ＞Ｔ
を満たす、
請求項２に記載の吸着ユニット。
【請求項４】
前記凸部の幅は、前記凸部の基端側よりも先端側が小さく形成されている、
請求項２または３に記載の吸着ユニット。
【請求項５】
前記放熱板は、前記フィルタを挟んで対向して配置される一組の第１板と第２板を有し、
前記吸着ユニットは、前記第１板と前記第２板との間に挟まれて配置される規制部材を有する、
請求項１ないし４のいずれか１項に記載の吸着ユニット。
【請求項６】
前記規制部材は、熱伝導性を有する材料によって形成されている、
請求項５に記載の吸着ユニット。
【請求項７】
前記ケースには、前記フィルタを回転可能に支持する軸部が形成され、
前記軸部の外周部には、円筒状の前記規制部材が設けられている、
請求項５または６に記載の吸着ユニット。
【請求項８】
請求項１ないし７のいずれか１項に記載の吸着ユニットを備え、
前記フィルタは、空気が通過することにより前記空気に含有される臭気成分を吸着し、加熱されることにより前記臭気成分を分解する、
空気清浄機。
【発明の詳細な説明】
【技術分野】
【０００１】
本発明は、吸着ユニット及び空気清浄機に関する。
【背景技術】
【０００２】
従来、室内の空気を脱臭フィルタに通過させることにより、空気に含まれる臭気成分を脱臭フィルタに吸着させ、脱臭フィルタを加熱することにより、脱臭フィルタの脱臭能力を再生させる空気清浄機が知られている。このような空気清浄機のなかには、板状の脱臭フィルタが回転可能に設けられるとともに、脱臭フィルタの一部を、一組の放熱板の間で加熱する加熱部を備える空気清浄機が知られている。
【先行技術文献】
【特許文献】
【０００３】
【特許文献１】特開２０１６−４３１０５号公報
【特許文献２】特開平１０−２７７３６５号公報
【発明の概要】
【発明が解決しようとする課題】
【０００４】
ところで、上述のような空気清浄機では、脱臭フィルタの厚み方向において、脱臭フィルタと放熱板とを近づけて、脱臭フィルタと放熱板との間隔を小さくすることにより、放熱板の熱が脱臭フィルタに伝わりやすくなる。これにより、脱臭フィルタの加熱温度が上がり、脱臭フィルタを再生する効率が高められる。しかしながら、一組の放熱板の間を通過する脱臭フィルタは、脱臭フィルタと放熱板との間隔が小さくなることにより、放熱板に接触しやすくなり、放熱板と脱臭フィルタが接触することで脱臭フィルタの破損を招く。
【０００５】
そこで、脱臭フィルタの厚み方向に対する脱臭フィルタの位置を規制するために、脱臭フィルタの外周部及び内周部を支持する規制部材として複数のボビンを用いて、ボビンのフランジの間で脱臭フィルタを規制する構成が知られている。しかし、この構成は、複数のボビンを用いることで、脱臭フィルタの支持構造が複雑化してしまう不都合があった。
【０００６】
開示の技術は、上記に鑑みてなされたものであって、フィルタと放熱板との間隔を適正に規制することができる吸着ユニットおよび空気清浄機を提供することを目的とする。
【課題を解決するための手段】
【０００７】
本願の開示する吸着ユニットの一態様は、板状に形成されるフィルタと、前記フィルタの一部に対向して配置される放熱板と、前記放熱板を加熱することにより前記放熱板を介して前記フィルタの一部を加熱するヒータと、前記放熱板に対して前記フィルタを移動させる駆動部と、前記放熱板を覆って加熱空間を形成するケースと、を備え、前記フィルタの外周部及び内周部の少なくとも一方には、前記フィルタの縁部を覆うカバーが設けられ、前記カバー、前記放熱板及び前記ケースの少なくとも１つには、前記フィルタの厚み方向における前記フィルタと前記放熱板との間隔を規制する位置規制手段が設けられている。
【発明の効果】
【０００８】
本願の開示する吸着ユニットの一態様によれば、フィルタと放熱板との間隔を適正に規制することができる。
【図面の簡単な説明】
【０００９】
【図１】図１は、実施例の空気清浄機の外観を示す斜視図である。
【図２】図２は、実施例の空気清浄機を示す平面図である。
【図３】図３は、実施例の空気清浄機を示す図１におけるＡ−Ａ断面図である。
【図４】図４は、実施例の空気清浄機を示す図１におけるＢ−Ｂ断面図である。
【図５】図５は、実施例の脱臭ユニットを示す斜視図である。
【図６】図６は、実施例の脱臭ユニットを示す分解斜視図である。
【図７】図７は、実施例の脱臭ユニットの脱臭フィルタ部を示す斜視図である。
【図８】図８は、実施例の脱臭ユニットのフィルタ再生部を示す図６におけるＣ−Ｃ断面図である。
【図９】図９は、実施例の脱臭ユニットのフィルタ再生部を示す分解斜視図である。
【図１０】図１０は、実施例におけるフィルタ再生部の前面側ケース部材を内側から示す斜視図である。
【図１１】図１１は、実施例におけるフィルタ再生部の背面側ケース部材を内側から示す斜視図である。
【図１２】図１２は、実施例におけるフィルタ再生部を一部断面で示す斜視図である。
【図１３Ａ】図１３Ａは、実施例における脱臭フィルタ部の第１凸部を拡大して示す断面図である。
【図１３Ｂ】図１３Ｂは、実施例における脱臭フィルタ部の第２凸部を拡大して示す断面図である。
【図１４】図１４は、実施例における放熱板の貫通孔、及びシャフト部材を示す断面斜視図である。
【図１５】図１５は、実施例における第１凸部の突出量を説明するための模式図である。
【図１６】図１６は、実施例における第１凸部の突出量を説明するための模式図である。
【図１７】図１７は、変形例の脱臭フィルタ部を説明するための斜視図である。
【発明を実施するための形態】
【００１０】
以下に、本願の開示する吸着ユニット及び空気清浄機の実施例を図面に基づいて詳細に説明する。なお、以下の実施例によって、本願の開示する吸着ユニット及び空気清浄機が限定されるものではない。
【実施例】
【００１１】
［空気清浄機の構成］
図１は、実施例の空気清浄機の外観を示す斜視図である。一実施例である空気清浄機１は、図１に示すように、本体筐体１１と、前面パネル１２と、フロントパネル１３と、リアパネル１４と、を備えている。本体筐体１１は、合成樹脂材で形成され、略直方体状に形成されている。本体筐体１１は、天面パネル１１ａ、右側面パネル１１ｂ、左側面パネル１１ｃ及び底部１１ｄを備えている。底部１１ｄは、本体筐体１１の下部を形成しており、空気清浄機１が設置される設置面に載置される。右側面パネル１１ｂと左側面パネル１１ｃは、対向するように配置されることにより本体筐体１１の側面を形成し、それぞれの下端が底部１１ｄに接合されている。天面パネル１１ａは、本体筐体１１の上部を形成しており、右側面パネル１１ｂの上端と左側面パネル１１ｃの上端とに接合されている。前面パネル１２は、本体筐体１１の前面に配置されている。フロントパネル１３は、前面パネル１２の前方に配置されている。
【００１２】
フロントパネル１３と前面パネル１２との間には、上面吸込口１３ａ、右側面吸込口１３ｂ、左側面吸込口１３ｃ及び下側吸込口１３ｄが形成されている。上面吸込口１３ａは、フロントパネル１３の上側に配置されている。右側面吸込口１３ｂは、フロントパネル１３の右側面パネル１１ｂの側に配置されている。左側面吸込口１３ｃは、フロントパネル１３の左側面パネル１１ｃの側に配置されている。下側吸込口１３ｄは、フロントパネル１３の底部１１ｄの側に配置されている。
【００１３】
空気清浄機１は、操作部１５をさらに備えている。操作部１５は、上面吸込口１３ａの一部を覆うように、空気清浄機１の上面に配置されている。操作部１５は、ボタン及び表示部を有する。ボタンは、電源ボタンや運転モード切り換えボタン等を含み、空気清浄機１を操作するときに用いられる。表示部は、空気清浄機１の運転状態や図示しない塵埃センサ等の検出器の検出結果を表示する。
【００１４】
図２は、実施例の空気清浄機を示す平面図である。リアパネル１４は、合成樹脂材で形成され、図２に示すように、前面パネル１２が配置される前面の反対側の背面に配置されている。本体筐体１１とリアパネル１４との間には、上面吹出口１４ａと右側面吹出口１４ｂと左側面吹出口１４ｃとが形成されている。上面吹出口１４ａは、リアパネル１４の天面パネル１１ａの側に配置されている。右側面吹出口１４ｂは、リアパネル１４の右側面パネル１１ｂの側に配置されている。左側面吹出口１４ｃは、リアパネル１４の左側面パネル１１ｃの側に配置されている。
【００１５】
空気清浄機１は、上面吸込口１３ａ、右側面吸込口１３ｂ、左側面吸込口１３ｃ及び下側吸込口１３ｄのそれぞれから本体筐体１１に吸い込んだ空気を、上面吹出口１４ａ、右側面吹出口１４ｂ及び左側面吹出口１４ｃのそれぞれから吹き出すまでに、空気の除塵処理、加湿処理及び脱臭処理を行う。
【００１６】
なお、図１以降において、空気清浄機１の前後方向（奥行方向）をＸ方向、空気清浄機１の幅方向をＹ方向、空気清浄機１の高さ方向をＺ方向として示す。また、以下の説明では、本体筐体１１の前面パネル１２が配置される側を「前面側」とし、本体筐体１１のリアパネル１４が配置される側を「背面側」とする。
【００１７】
図３は、実施例の空気清浄機を示す図１におけるＡ−Ａ断面図である。本体筐体１１は、図３に示すように、内部に通風路１０が形成されている。通風路１０は、上面吸込口１３ａと右側面吸込口１３ｂと左側面吸込口１３ｃと下側吸込口１３ｄとを、上面吹出口１４ａと右側面吹出口１４ｂと左側面吹出口１４ｃとに連通している。
【００１８】
空気清浄機１は、さらに、プレフィルタ２１、集塵ユニット２２、吸着ユニットとしての脱臭ユニット２３、加湿ユニット２４及び送風機２５を備えている。プレフィルタ２１、集塵ユニット２２、脱臭ユニット２３、加湿ユニット２４及び送風機２５は、本体筐体１１の内部の通風路１０に配置されている。
【００１９】
プレフィルタ２１は、例えば、糸状のＰＥＴ（ポリエチレンテレフタラート）材が編み込まれた網目構造体として形成されている。プレフィルタ２１は、通風路１０の前面側に配置されている。プレフィルタ２１は、上面吸込口１３ａ、右側面吸込口１３ｂ、左側面吸込口１３ｃ及び下側吸込口１３ｄから本体筐体１１の内部の通風路１０にそれぞれ吸い込まれる空気に含まれる塵埃を捕集する。
【００２０】
集塵ユニット２２は、通風路１０のうちのプレフィルタ２１の背面側に配置されている。本体筐体１１は、さらに、仕切板１６を備えている。仕切板１６は、フロントパネル１３の背面側に配置されており、本体筐体１１の一部を形成している。集塵ユニット２２は、第１電気集塵機２２ａ及び第２電気集塵機２２ｂを有する。第１電気集塵機２２ａ及び第２電気集塵機２２ｂは、上下方向に並べられ、仕切板１６に支持されている。第１電気集塵機２２ａ及び第２電気集塵機２２ｂは、それぞれ、図示しない筐体、放電電極及び集塵電極を有する。筐体の内部には、放電電極と集塵電極が支持されている。放電電極は、プレフィルタ２１で捕集されなかった細かな塵埃や花粉等をコロナ放電により帯電させる。集塵電極は、放電電極により帯電された塵埃や花粉等を捕集する。集塵ユニット２２は、第１電気集塵機２２ａと第２電気集塵機２２ｂとが、放電電極及び集塵電極、筐体とで形成されていることにより、例えば不織布をプリーツ形状に形成してなる他の集塵フィルタに比べて、空気抵抗が小さい。
【００２１】
脱臭ユニット２３は、通風路１０のうちのプレフィルタ２１の背面側に配置されている。加湿ユニット２４は、通風路１０のうちの脱臭ユニット２３の背面側に配置されている。加湿ユニット２４は、加湿フィルタ２４ａ及び貯水タンク２４ｂを有する。貯水タンク２４ｂには、水が貯留される。加湿フィルタ２４ａは、円板形状に形成されており、貯水タンク２４ｂに溜められた水に、加湿フィルタ２４ａの一部が浸るように配置されている。加湿フィルタ２４ａは、さらに、貯水タンク２４ｂに溜められた水に浸る部分が移動するように、回転軸により回転可能に支持されており、図示しないモータにより回転される。加湿ユニット２４は、貯水タンク２４ｂに溜められた水により湿らされた加湿フィルタ２４ａに空気を通すことにより、通風路１０を流れる空気を加湿する。
【００２２】
なお、加湿ユニット２４は、上記の構成に限らず、例えば、貯水タンク２４ｂに溜められた水を加湿フィルタ２４ａの外周側に形成した複数の凹部で汲み上げて加湿フィルタ２４ａを湿潤させる水車のように構成されてもよい。この場合は加湿フィルタ２４ａは貯水タンク２４ｂに溜められた水に浸からないようにしてもよい。また、加湿フィルタ２４ａは回転しないようにしてもよい。この場合は、貯水タンク２４ｂに溜められた水を毛細管現象により吸い上げる他の加湿フィルタに置換されてもよい。
【００２３】
送風機２５は、通風路１０のうちの加湿ユニット２４の背面側に配置されている。送風機２５は、ターボファン２５ａ及びファンモータ２５ｂを有する。ファンモータ２５ｂは、回転数可変であり、ターボファン２５ａを回転させる。ターボファン２５ａは、合成樹脂材によって形成されており、ファンモータ２５ｂの出力軸に接続されている。ターボファン２５ａは、回転することにより、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって空気を流す。すなわち、送風機２５は、上面吸込口１３ａ、右側面吸込口１３ｂ、左側面吸込口１３ｃ及び下側吸込口１３ｄから、空気清浄機１の内部へ空気を取り込み、通風路１０に沿って空気を通過させる。送風機２５は、さらに、上面吹出口１４ａ、右側面吹出口１４ｂ及び左側面吹出口１４ｃを介して、通風路１０を通過した空気を空気清浄機１の外部に放出する。
【００２４】
送風機２５は、ファンモータ２５ｂの中心の高さＤが、集塵ユニット２２の第１電気集塵機２２ａと第２電気集塵機２２ｂとの間の空間の高さと一致するように配置されている。ファンモータ２５ｂの中心付近は、ターボファン２５ａの回転による空気の流れが少ないので、通風路１０におけるファンモータ２５ｂの中心付近の空間での空気の流れが少ない。集塵ユニット２２は、第１電気集塵機２２ａと第２電気集塵機２２ｂとの間を空気が通過しない。このため、集塵ユニット２２は、空気の流れが多い空間に第１電気集塵機２２ａ及び第２電気集塵機２２ｂが配置されることにより、除塵を高効率に行うことができる。
【００２５】
図４は、実施例の空気清浄機を示す図１におけるＢ−Ｂ断面図である。プレフィルタ２１は、図４に示すように、中央が前面側に向かって凸となるアーチ形状に形成されている。このため、プレフィルタ２１は、プレフィルタ２１を平坦状に形成する場合と比べて、上面吸込口１３ａ、右側面吸込口１３ｂ、左側面吸込口１３ｃ及び下側吸込口１３ｄから、本体筐体１１の内部にそれぞれ吸い込まれた空気がプレフィルタ２１を通過する面積が大きい。これにより、プレフィルタ２１は、上面吸込口１３ａ、右側面吸込口１３ｂ、左側面吸込口１３ｃ及び下側吸込口１３ｄから、本体筐体１１の内部に吸い込まれた空気から、より一層多くの塵埃を捕集することが可能とされている。
【００２６】
［脱臭ユニットの構成］
図５は、実施例の脱臭ユニットを示す斜視図である。実施例の吸着ユニットとしての脱臭ユニット２３は、図５に示すように、脱臭フィルタ部２３ａと、フィルタ再生部２３ｆと、保持部２３ｇとを有する。脱臭フィルタ部２３ａは、円板状に形成されている。フィルタ再生部２３ｆは、略三角柱形状に形成されており、脱臭フィルタ部２３ａの周方向における一部の両面を覆っている。保持部２３ｇは、本体筐体１１に固定されており、脱臭フィルタ部２３ａ及びフィルタ再生部２３ｆを支持している。
【００２７】
図６は、実施例の脱臭ユニット２３を示す分解斜視図である。保持部２３ｇは、図６に示すように、合成樹脂材によって略四角形状に形成されており、脱臭フィルタ部２３ａの形状に応じた円形状の開口部２３ｇｄが中央に形成されている。さらに、保持部２３ｇは、開口部２３ｇｄの上方（保持部２３ｇを通風路１０に配置したときに上側となる箇所。以下、「上方」と記載）には、フィルタ再生部２３ｆの形状に応じた凹形状の再生部収納部２３ｇｅが形成されている。
【００２８】
さらに、脱臭ユニット２３は、２個のローラ２３ｍ、回転検出用歯車２３ｋ、回転検出部２３ｒ、駆動部２３ｈ、駆動歯車２３ｊ及び４枚の押さえ部材２３ｚを有する。２個のローラ２３ｍの各々は、合成樹脂材によって形成されており、筒部２３ｍｂ、上フランジ２３ｍｃ及び下フランジ２３ｍｄを有する。筒部２３ｍｂは、孔２３ｍａを有する円筒形状に形成されている。上フランジ２３ｍｃ及び下フランジ２３ｍｄは、各々筒部２３ｍｂよりも直径が大きい円板形状に形成されており、筒部２３ｍｂの両端から外周側へ張り出している。保持部２３ｇには、２本の第１軸２３ｇａが形成されている。２本の第１軸２３ｇａは、保持部２３ｇの下方（保持部２３ｇを通風路１０に配置したときに下側となる箇所。以下、「下方」と記載）の両隅に配置されている。２本の第１軸２３ｇａは、それぞれ、２個のローラ２３ｍの孔２３ｍａに挿入されることにより、２個のローラ２３ｍを回転自在に支持している。
【００２９】
回転検出用歯車２３ｋは、合成樹脂材によって形成されている。保持部２３ｇには、さらに、第２軸２３ｇｂが形成されている。第２軸２３ｇｂは、再生部収納部２３ｇｅの左側（脱臭フィルタ部２３ａを前面側から見たときの左側）に配置されている。第２軸２３ｇｂは、回転検出用歯車２３ｋが挿入されることにより、回転検出用歯車２３ｋを回動自在に支持している。回転検出部２３ｒは、回転検出用歯車２３ｋの回転を検出する。回転検出部２３ｒとしては、例えば、フォトインタラプタが用いられている。フォトインタラプタは、発光部及び受光部を有しており、発光部と受光部が、検知対象を挟んで互いに対向して配置されている。フォトインタラプタは、発光部から発光された光を受光部で検出することにより、検知対象の有無や位置を検出することが可能になる。
【００３０】
駆動歯車２３ｊは、合成樹脂材で形成されている。駆動部２３ｈは、例えばステッピングモータを有しており、ステッピングモータの出力軸に駆動歯車２３ｊが取り付けられている。保持部２３ｇには、さらに、駆動部固定部２３ｇｃが形成されている。駆動部固定部２３ｇｃは、再生部収納部２３ｇｅの右側（脱臭フィルタ部２３ａを前面側から見たときの右側）に配置されて、駆動部２３ｈを支持している。駆動部２３ｈは、駆動歯車２３ｊを回転させる。
【００３１】
４枚の押さえ部材２３ｚは、合成樹脂材によって、略五角形状の板材として形成されており、保持部２３ｇに嵌め込み可能な形状に形成されている。押さえ部材２３ｚは、２個のローラ２３ｍ、回転検出用歯車２３ｋ、駆動部２３ｈ及び駆動歯車２３ｊが保持部２３ｇに装着された後に、保持部２３ｇに嵌め込まれる。押さえ部材２３ｚは、保持部２３ｇに嵌め込まれることにより、２個のローラ２３ｍと回転検出用歯車２３ｋと駆動部２３ｈと駆動歯車２３ｊとを押さえて、保持部２３ｇから外れないように支持している。
【００３２】
図７は、脱臭フィルタ部２３ａを示す斜視図である。脱臭フィルタ部２３ａは、図７に示すように、脱臭フィルタ２３ａａ、外周部フィルタカバー２３ａｃ及び内周部フィルタカバー２３ａｅを有する。
【００３３】
脱臭フィルタ２３ａａは、円板状に形成されており、中央に貫通孔２３ａａｏが形成されている。脱臭フィルタ２３ａａは、脱臭フィルタ２３ａａの厚さ方向に空気が通過するように形成されている。脱臭フィルタ２３ａａは、通過する空気から臭気成分を吸着し、後述するＰＴＣヒータ２３ｂによって加熱されることで、吸着された臭気成分を分解する。例えば、脱臭フィルタ２３ａａは、図示しない基材と、基材に形成された触媒層とを有する。基材は、アルミニウム等の板材によって形成されており、ハニカム構造に例示される多孔構造に形成されている。触媒層は、触媒によって形成されており、基材の表面を被覆している。触媒は、触媒層の近傍を流れる空気から臭気成分を吸着し、加熱されることにより、吸着された臭気成分を分解する。脱臭フィルタ２３ａａは、多孔構造に形成されていること、及び、フィルタ再生部２３ｆが脱臭フィルタ２３ａａの一部のみを覆い大部分を覆っていないことにより、空気抵抗が小さい。
【００３４】
外周部フィルタカバー２３ａｃは、概ね円環状に形成されており、脱臭フィルタ２３ａａの外周部に沿って配置されている。外周部フィルタカバー２３ａｃは、脱臭フィルタ２３ａａの外周縁部を覆って外周部の端面を保護している。内周部フィルタカバー２３ａｅは、概ね円環状に形成されており、脱臭フィルタ２３ａａの貫通孔２３ａａｏの内部に配置されており、脱臭フィルタ２３ａａにおける内周縁部を覆って内周部の端面を保護している。内周部フィルタカバー２３ａｅには、貫通孔２３ａｄが形成されている。
【００３５】
また、外周部フィルタカバー２３ａｃには、脱臭フィルタ２３ａａの厚み方向（Ｘ方向）における両面に、脱臭フィルタ２３ａａの厚み方向に突出する第１凸部２３ａｃｐがそれぞれ一体に形成されている。また、外周部フィルタカバー２３ａｃと同様に、内周部フィルタカバー２３ａｅには、脱臭フィルタ２３ａａの厚み方向（Ｘ方向）における両面に、脱臭フィルタ２３ａａの厚み方向に突出する第２凸部２３ａｅｐがそれぞれ一体に形成されている。これら第１凸部２３ａｃｐ及び第２凸部２３ａｅｐの詳細については後述する。
【００３６】
［フィルタ再生部の構成］
図８は、実施例の脱臭ユニット２３のフィルタ再生部２３ｆを示す図６におけるＣ−Ｃ断面を示している。フィルタ再生部２３ｆは、図８に示すように、ケース２３ｅと、放熱板２３ｃと、ＰＴＣ（Ｐｏｓｉｔｉｖｅ  Ｔｅｍｐｅｒａｔｕｒｅ  Ｃｏｅｆｆｉｃｉｅｎｔ）ヒータ２３ｂと、を有する。ケース２３ｅは、略三角柱形状の箱状に形成されている。ケース２３ｅは、脱臭フィルタ部２３ａの周方向の一部を覆っている。ケース２３ｅは、組み合わされる一対の、前面側ケース部材２３ｅａと、背面側ケース部材２３ｅｂと、を有する。前面側ケース部材２３ｅａは、ケース２３ｅの前面側の部分を形成している。背面側ケース部材２３ｅｂは、ケース２３ｅの背面側の部分を形成している。
【００３７】
放熱板２３ｃは、対向して配置される一組の第１板と第２板としての一組の前面側放熱板２３ｃａと背面側放熱板２３ｃｂを有する。第１板としての前面側放熱板２３ｃａは、ケース２３ｅの内部に支持されている。前面側放熱板２３ｃａは、脱臭フィルタ部２３ａの周方向における一部に対向する。脱臭フィルタ部２３ａは、前面側放熱板２３ｃａによって脱臭フィルタ部２３ａの一部が前面側から覆われている。同様に、第２板としての背面側放熱板２３ｃｂは、ケース２３ｅの内部に支持されている。背面側放熱板２３ｃｂは、脱臭フィルタ部２３ａの周方向におけるケース２３ｅ内に位置する一部に対向する。脱臭フィルタ部２３ａは、背面側放熱板２３ｃｂによって脱臭フィルタ部２３ａの一部が背面側から覆われている。
【００３８】
ＰＴＣヒータ２３ｂは、通電されることにより発熱し、温度上昇に伴って抵抗値が増加する性質を有しており、この性質を利用して発熱量を自己制御する。ＰＴＣヒータ２３ｂは、直方体状に形成されており、ケース２３ｅの内部に設けられている。ＰＴＣヒータ２３ｂは、脱臭フィルタ部２３ａの外周側に配置されており、前面側放熱板２３ｃａと背面側放熱板２３ｃｂとの間に挟まれて支持されている。ＰＴＣヒータ２３ｂは、後述する背面側放熱板２３ｃｂの位置決め突起２３ｃｆ（図９）に突き当てられる。また、ＰＴＣヒータ２３ｂは、背面側ケース部材２３ｅｂの第１支持部２３ｓ１の第１リブ２３ｓａの規制面２３ｓａｂ（図１１）に突き当てられる。これにより、ＰＴＣヒータ２３ｂはＺ方向の両側への移動が規制されている。
【００３９】
図９は、実施例の脱臭フィルタのフィルタ再生部２３ｆを示す分解斜視図である。前面側放熱板２３ｃａ及び背面側放熱板２３ｃｂは、例えば、アルミニウム材またはアルミ合金材等の熱伝導性が良好な材料によって形成されている。前面側放熱板２３ｃａは、図９に示すように、脱臭フィルタ部２３ａの前面側に配置されている。前面側放熱板２３ｃａの外形は、脱臭フィルタ部２３ａの貫通孔２３ａｄから脱臭フィルタ部２３ａの外周側に向かうにつれて左右方向（脱臭フィルタ部２３ａの周方向）に対する幅寸法が大きくなる略三角形状に形成されている。前面側放熱板２３ｃａは、フィルタ対向面２３ｃａａとカバー対向面２３ｃａｂを有する。フィルタ対向面２３ｃａａは、前面側放熱板２３ｃａの一方の面であり、カバー対向面２３ｃａｂは、前面側放熱板２３ｃａの他方の面である。前面側放熱板２３ｃａには、脱臭フィルタ部２３ａの貫通孔２３ａｄと対応する貫通孔２３ｃａｇが形成されている。貫通孔２３ｃａｇには、後述する背面側ケース部材２３ｅｂの軸部２３ｘａが挿通される。
【００４０】
背面側放熱板２３ｃｂは、脱臭フィルタ部２３ａの背面側に対向して配置されている。背面側放熱板２３ｃｂの外形は、脱臭フィルタ部２３ａの貫通孔２３ａｄから外周側に向かうにつれて左右方向（脱臭フィルタ部２３ａの周方向）に対する幅寸法が大きくなる略三角形状に形成されている。背面側放熱板２３ｃｂは、フィルタ対向面２３ｃｃａとカバー対向面２３ｃｃｂを有する。フィルタ対向面２３ｃｃａは、背面側放熱板２３ｃｂの一方の面であり、カバー対向面２３ｃｃｂは、フィルタ対向面２３ｃｃａの他方の面である。
【００４１】
図８及び図９に示すように、背面側放熱板２３ｃｂのフィルタ対向面２３ｃｃａには、ＰＴＣヒータ２３ｂを位置決めする位置決め突起２３ｃｆが設けられており、位置決め突起２３ｃｆがＰＴＣヒータ２３ｂの外周面（Ｚ方向の一方側の外周面（脱臭フィルタ部２３ａの内周側の外周面））に当たることで、Ｚ方向の一方側（脱臭フィルタ部２３ａの内周側）に対するＰＴＣヒータ２３ｂの位置が規制されている。また、背面側放熱板２３ｃｂと同様に、前面側放熱板２３ｃａのフィルタ対向面２３ｃａａにも、ＰＴＣヒータ２３ｂを位置決めする位置決め突起２３ｃｇが設けられている（図８参照）。背面側放熱板２３ｃｂの内周側端部には、後述する背面側ケース部材２３ｅｂの軸部２３ｘａが挿通される貫通孔２３ｃｂｇが形成されている。
【００４２】
ＰＴＣヒータ２３ｂは、前面側放熱板２３ｃａのフィルタ対向面２３ｃａａ及び背面側放熱板２３ｃｂのフィルタ対向面２３ｃｂａにおける脱臭フィルタ部２３ａの外周側の側縁部に、前面側放熱板２３ｃａと背面側放熱板２３ｃｂとの間に挟まれて支持されている。前面側放熱板２３ｃａは、フィルタ対向面２３ｃａａが脱臭フィルタ部２３ａに対向するように配置されている。背面側放熱板２３ｃｂは、フィルタ対向面２３ｃｂａが脱臭フィルタ部２３ａに対向するように配置されている。なお、ＰＴＣヒータ２３ｂと、前面側放熱板２３ｃａ及び背面側放熱板２３ｃｂとの間には、熱伝導性を高めるために熱伝導グリース等が塗布されてもよい。
【００４３】
図１０は、実施例におけるフィルタ再生部２３ｆの前面側ケース部材２３ｅａを内側から示す斜視図である。言い換えれば、図１０は、ケース２３ｅの内部空間の前面側（前面側内部空間）を示す斜視図である。図１１は、実施例におけるフィルタ再生部２３ｆの背面側ケース部材２３ｅｂを内側から示す斜視図である。言い換えれば、図１１は、ケース２３ｅの内部空間の背面側（背面側内部空間）を示す斜視図である。
【００４４】
説明の便宜上、背面側ケース部材２３ｅｂから先に説明する。背面側ケース部材２３ｅｂは、合成樹脂材によって形成されている。図９に示すように、背面側ケース部材２３ｅｂの外形は、背面側放熱板２３ｃｂの外形よりも一回り大きく形成されている。図１１に示すように、背面側ケース部材２３ｅｂは、その内側に脱臭フィルタ部２３ａを加熱するための加熱空間としての加熱空間部２３ｅｄが形成されている。例えば、背面側ケース部材２３ｅｂは、背面側放熱板２３ｃｂが収容される有底の箱状に形成されており、背面側ケース部材２３ｅｂは、底部２３ｅｄａ、第１側部２３ｅｄｂ、第２側部２３ｅｄｃ、第３側部２３ｅｄｄ及び第４側部２３ｅｄｅを有する。底部２３ｅｄａは、略三角形の板状に形成されている。第１側部２３ｅｄｂ、第２側部２３ｅｄｃ、第３側部２３ｅｄｄ及び第４側部２３ｅｄｅは、それぞれ、底部２３ｅｄａの外周部から立ち上がって形成されている。第１側部２３ｅｄｂは、底部２３ｅｄａの外周部における、脱臭フィルタ部２３ａの貫通孔２３ａｄ側に配置される部分に形成されている。第４側部２３ｅｄｅは、底部２３ｅｄａの外周部における、脱臭フィルタ部２３ａの外周側に配置される部分に形成されている。第２側部２３ｅｄｃと第３側部２３ｅｄｄは、底部２３ｅｄａの外周部のＹ方向の両側の部分に形成されている。
【００４５】
図１１に示すように、背面側ケース部材２３ｅｂの底部２３ｅｄａには、背面側放熱板２３ｃｂの外周に沿って内周壁２３ｐｂが形成されている。内周壁２３ｐｂは、第１側部２３ｅｄｂ、第２側部２３ｅｄｃ、第３側部２３ｅｄｄに対して所定の間隔をあけて形成されており、内周壁２３ｐｂの両端が第４側部２３ｅｄｅに連結されている。背面側ケース部材２３ｅｂの底部２３ｅｄａには、脱臭フィルタ部２３ａの貫通孔２３ａｄに挿通されて脱臭フィルタ部２３ａを回転可能に支持する軸部２３ｘａが形成されている。軸部２３ｘａは、締結部材としてのネジ２３ｔ等がねじ込まれる貫通孔２３ｘａａを有する。また、背面側ケース部材２３ｅｂの底部２３ｅｄａのＹ方向における両側には、前面側ケース部材２３ｅａと背面側ケース部材２３ｅｂとを一体に固定する結合部材としてのネジ２３ｔ等がねじ込まれる貫通孔２３ｘｂａを有するボス２３ｘｂがそれぞれ形成されている。
【００４６】
背面側ケース部材２３ｅｂの底部２３ｅｄａには、２つの第１支持部２３ｓ１が形成されている。第１支持部２３ｓ１は、背面側放熱板２３ｃｂの外周部２３ｃｂｈと、背面側放熱板２３ｃｂに重ねられるＰＴＣヒータ２３ｂ及び前面側放熱板２３ｃａの外周部２３ｃａｈをそれぞれ支持する。また、背面側ケース部材２３ｅｂの底部２３ｅｄａには、背面側放熱板２３ｃｂの外周部２３ｃｂｈを支持する第２支持部２３ｓ２がそれぞれ形成されている。
【００４７】
第１支持部２３ｓ１は、背面側ケース部材２３ｅｂのＹ方向における両側にそれぞれ配置されており、ボス２３ｘｂの近傍、例えばボス２３ｘｂに隣接して配置されている。第１支持部２３ｓ１は、背面側放熱板２３ｃｂ（前面側放熱板２３ｃａ）のＺＹ面におけるＺ方向に対する背面側放熱板２３ｃｂ、前面側放熱板２３ｃａ及びＰＴＣヒータ２３ｂの移動を規制する第１リブ２３ｓａと、背面側放熱板２３ｃｂ（前面側放熱板２３ｃａ）のＺＹ面におけるＹ方向に対する背面側放熱板２３ｃｂ、前面側放熱板２３ｃａ及びＰＴＣヒータ２３ｂの移動を規制する第２リブ２３ｓｂと、を有する。
【００４８】
第１リブ２３ｓａは、背面側ケース部材２３ｅｂの底部２３ｅｄａから突出して形成されており、背面側放熱板２３ｃｂと背面側ケース部材２３ｅｂの内面との間に空間をあけた状態で背面側放熱板２３ｃｂの外周部２３ｃｂｈを支持する。第１リブ２３ｓａは、ボス２３ｘｂの外周面に連結されている。第１リブ２３ｓａは、背面側放熱板２３ｃｂをＸ方向に対して支持する支持面２３ｓａａと、背面側放熱板２３ｃｂ、前面側放熱板２３ｃａ及びＰＴＣヒータ２３ｂのＺ方向の移動を規制する規制面２３ｓａｂと、を有する。図１２に示すように、支持面２３ｓａａは、背面側ケース部材２３ｅｂの底部２３ｅｄａから高さＭの位置に設けられる。高さＭは、Ｘ軸上に沿う長さＭを指す。規制面２３ｓａｂは、支持面２３ｓａａを基準として高さＬを有する。高さＬは、Ｘ軸上に沿う長さＬを指す。第２リブ２３ｓｂは、背面側ケース部材２３ｅｂの底部２３ｅｄａから突出して、内周壁２３ｐｂと第２側部２３ｅｄｃ、または内周壁２３ｐｂと第３側部２３ｅｄｄとに跨って形成されており、内周壁２３ｐｂの機械的強度が補強されている。第２リブ２３ｓｂは、背面側放熱板２３ｃｂをＸ方向に対して支持する支持面２３ｓｂａと、背面側放熱板２３ｃｂ、前面側放熱板２３ｃａ及びＰＴＣヒータ２３ｂのＹ方向の移動を規制する規制面２３ｓｂｂと、を有する。支持面２３ｓｂａは背面側ケース部材２３ｅｂの底部２３ｅｄａ高さＭの位置に設けられる。高さＭは、Ｘ軸上に沿う長さＭを指す。規制面２３ｓｂｂは支持面２３ｓｂａを基準として高さＬを有する。高さＬは、Ｘ軸上に沿う長さＬを指す。
【００４９】
第２支持部２３ｓ２は、背面側ケース部材２３ｅｂのＺ方向における一端側（脱臭フィルタ部２３ａの貫通孔２３ａｄ側）に、軸部２３ｘａに隣接して配置されている。第２支持部２３ｓ２は、背面側放熱板２３ｃｂ（前面側放熱板２３ｃａ）のＺＹ面におけるＺ方向に対する背面側放熱板２３ｃｂの移動を規制する第３リブ２３ｓｃと、背面側放熱板２３ｃｂ（前面側放熱板２３ｃａ）のＺＹ面におけるＹ方向に対する背面側放熱板２３ｃｂの移動を規制する第４リブ２３ｓｄと、を有する。
【００５０】
第３リブ２３ｓｃは、背面側放熱板２３ｃｂをＸ方向に対して支持する支持面２３ｓｃａと、Ｚ方向に対する背面側放熱板２３ｃｂの移動を規制する規制面２３ｓｃｂと、を有する。第４リブ２３ｓｄは、背面側放熱板２３ｃｂをＸ方向に対して支持する支持面２３ｓｄａと、Ｙ方向に対する背面側放熱板２３ｃｂの移動を規制する規制面２３ｓｄｂと、を有する。第３リブ２３ｓｃ及び第４リブ２３ｓｄは、背面側ケース部材２３ｅｂの底部２３ｅｄａから突出して形成されており、背面側放熱板２３ｃｂと背面側ケース部材２３ｅｂの内面との間に空間をあけた状態で背面側放熱板２３ｃｂの外周部２３ｃｂｈを支持する。第３リブ２３ｓｃ及び第４リブ２３ｓｄは、内周壁２３ｐｂと第１側部２３ｅｄｂとに跨って形成されており、内周壁２３ｐｂの機械的強度が補強されている。
【００５１】
図９及び図１０に示すように、前面側ケース部材２３ｅａは、背面側ケース部材２３ｅｂと同様に、合成樹脂材によって形成される。前面側ケース部材２３ｅａは、前面側放熱板２３ｃａの外形よりも一回り大きく形成されている。前面側ケース部材２３ｅａの内側には、脱臭フィルタ部２３ａを加熱するための加熱空間としての加熱空間部２３ｅｃが形成されている。前面側ケース部材２３ｅａは、前面側放熱板２３ｃａが収容される有底の箱状に形成されており、底部２３ｅｃａ、第１側部２３ｅｃｂ、第２側部２３ｅｃｃ、第３側部２３ｅｃｄ及び第４側部２３ｅｃｅを有する。底部２３ｅｃａは、略三角形の板状に形成されている。第１側部２３ｅｃｂ、第２側部２３ｅｃｃ、第３側部２３ｅｃｄ及び第４側部２３ｅｃｅは、それぞれ、底部２３ｅｃａの外周部から立ち上がって形成されている。第１側部２３ｅｃｂは、底部２３ｅｃａの外周部における、脱臭フィルタ部２３ａの貫通孔２３ａｄ側に配置される部分に形成されている。第４側部２３ｅｃｅは、底部２３ｅｃａの外周部における、脱臭フィルタ部２３ａの外周側に配置される部分に形成されている。第２側部２３ｅｃｃと第３側部２３ｅｃｄは、底部２３ｅｃａの外周部のＹ方向の両側の部分に形成されている。
【００５２】
図１０に示すように、前面側ケース部材２３ｅａの底部２３ｅｃａには、前面側放熱板２３ｃａの外周に沿って内周壁２３ｐａが形成されている。内周壁２３ｐａは、第１側部２３ｅｃｂ、第２側部２３ｅｃｃ、第３側部２３ｅｃｄに対して所定の間隔をあけて形成されており、内周壁２３ｐａの両端が第４側部２３ｅｃｅに連結されている。前面側ケース部材２３ｅａの底部２３ｅｃａには、背面側ケース部材２３ｅｂの軸部２３ｘａの先端が突き当てられる軸座部２３ｘｃが形成されている。軸座部２３ｘｃは、ネジ２３ｔがねじ込まれる貫通孔２３ｘｃａを有する。また、前面側ケース部材２３ｅａの底部２３ｅｃａのＹ方向における両側で、かつ第４側部２３ｅｃｅと隣接する位置には、背面側ケース部材のボス２３ｘｂの先端が突き当てられるボス座部２３ｘｄが形成されている。ボス座部２３ｘｄはネジ２３ｔがねじ込まれる貫通孔２３ｘｄａを有する。
【００５３】
また、前面側ケース部材２３ｅａの底部２３ｅｃａには、ボス座部２３ｘｄと隣接するように、第１リブ２３ｓｅ及び第２リブ２３ｓｆが形成されている。第１リブ２３ｓｅ及び第２リブ２３ｓｆは、背面側ケース部材２３ｅｂの第１支持部２３ｓ１の第１リブ２３ｓａ及び第２リブ２３ｓｂがそれぞれ突き当てられる。また、前面側ケース部材２３ｅａの第１リブ２３ｓｅ及び第２リブ２３ｓｆは、前面側放熱板２３ｃａに接することで、前面側放熱板２３ｃａ、ＰＴＣヒータ２３ｂ及び背面側放熱板２３ｃｂのＸ方向に対する移動を規制する。第１リブ２３ｓｅ及び第２リブ２３ｓｆは、前面側ケース部材２３ｅａの底部２３ｅｃａから突出して形成されており、前面側放熱板２３ｃａと前面側ケース部材２３ｅａの内面との間に空間をあけた状態で前面側放熱板２３ｃａの外周部２３ｃａｈを支持する。
【００５４】
前面側ケース部材２３ｅａの底部２３ｅｃａには、前面側放熱板２３ｃａの外周部２３ｃａｈを支持する支持部２３ｓ３が形成されている。支持部２３ｓ３は、前面側ケース部材２３ｅａのＺ方向における一端側（脱臭フィルタ部２３ａの貫通孔２３ａｄ側）に、軸座部２３ｘｃに隣接して配置されている。支持部２３ｓ３は、前面側放熱板２３ｃａのＺＹ面内方向におけるＺ方向に対する前面側放熱板２３ｃａの移動を規制する第３リブ２３ｓｇと、前面側放熱板２３ｃａのＺＹ面内方向におけるＹ方向に対する前面側放熱板２３ｃａの移動を規制する第４リブ２３ｓｈと、を有する。
【００５５】
第３リブ２３ｓｇは、前面側放熱板２３ｃａをＸ方向に対して支持する支持面２３ｓｇａと、ＺＹ面内方向におけるＺ方向に対する前面側放熱板２３ｃａの移動を規制する規制面２３ｓｇｂと、を有する。第４リブ２３ｓｈは、前面側放熱板２３ｃａをＸ方向に対して支持する支持面２３ｓｈａと、ＺＹ面内方向におけるＹ方向に対する前面側放熱板２３ｃａの移動を規制する規制面２３ｓｈｂと、を有する。第３リブ２３ｓｇ及び第４リブ２３ｓｈは、前面側ケース部材２３ｅａの底部２３ｅｃａから突出して形成されており、前面側放熱板２３ｃａと前面側ケース部材２３ｅａの内面との間に空間（空気層）をあけた状態で前面側放熱板２３ｃａの外周部２３ｃａｈを支持する。第３リブ２３ｓｇ及び第４リブ２３ｓｈは、内周壁２３ｐａと第１側部２３ｅｃｂとに跨って形成されており、内周壁２３ｐａの機械的強度が補強されている。
【００５６】
前面側ケース部材２３ｅａと背面側ケース部材２３ｅｂとが組み合わされることで、ＰＴＣヒータ２３ｂ、前面側放熱板２３ｃａ及び背面側放熱板２３ｃｂ、脱臭フィルタ部２３ａの一部が内部に収容されるケース２３ｅが構成される。脱臭フィルタ部２３ａの貫通孔２３ａｄには、背面側ケース部材２３ｅｂの軸部２３ｘａが挿通されることで、脱臭フィルタ部２３ａが軸部２３ｘａに回転可能に支持されている。また、図８及び図９に示すように、軸部２３ｘａは、後述する規制部材としての円筒状のシャフト部材２３ｘｅ内へ通されており、脱臭フィルタ部２３ａの貫通孔２３ａｄに通されたシャフト部材２３ｘｅを介して、脱臭フィルタ部２３ａを支持している。シャフト部材２３ｘｅは、例えば、ステンレス等の熱伝導性を有する金属材料等によって形成されている。
【００５７】
以上のように組み立てられた脱臭ユニット２３は、図６に示すように、フィルタ再生部２３ｆが保持部２３ｇの再生部収納部２３ｇｅ内に収容されている。また、脱臭フィルタ部２３ａは、外周部フィルタカバー２３ａｃの歯車部３４が駆動歯車２３ｊに噛み合わされており、駆動部２３ｈによって回転される。さらに、脱臭フィルタ部２３ａは、外周部フィルタカバー２３ａｃの歯車部３４が回転検出用歯車２３ｋに噛み合わされており、回転検出部２３ｒによって回転が検出される。
【００５８】
上述のように構成されたフィルタ再生部２３ｆにおいて、本実施例の特徴となる構成について以下説明する。図１２は、実施例におけるフィルタ再生部２３ｆを一部断面で示す斜視図である。図１３Ａは、実施例における脱臭フィルタ部２３ａの第１凸部２３ａｃｐを拡大して示す断面図である。図１３Ｂは、実施例における脱臭フィルタ部２３ａの第２凸部２３ａｅｐを拡大して示す断面図である。図１４は、実施例における放熱板２３ｃの貫通孔２３ａｄ、及びシャフト部材２３ｘｅを示す断面斜視図である。
【００５９】
図１２及び図１３Ａに示すように、外周部フィルタカバー２３ａｃの第１凸部２３ａｃｐは、前面側放熱板２３ｃａのフィルタ対向面２３ｃａａと、背面側放熱板２３ｃｂのフィルタ対向面２３ｃｂａにそれぞれ対向して配置されている。例えば、第１凸部２３ａｃｐは、外周部フィルタカバー２３ａｃの側面であって、フィルタ対向面２３ｃａａとの対向面２３ａｃａに配置される。第１凸部２３ａｃｐは、外周部フィルタカバー２３ａｃの周方向に沿って円環状に形成されている。第１凸部２３ａｃｐと同様に、外周部フィルタカバー２３ａｃの第２凸部２３ａｅｐは、図１２及び図１３Ｂに示すように、前面側放熱板２３ｃａのフィルタ対向面２３ｃａａと、背面側放熱板２３ｃｂのフィルタ対向面２３ｃｂａにそれぞれ対向して配置されている。例えば、第２凸部２３ａｅｐは、外周部フィルタカバー２３ａｃの側面であって、フィルタ対向面２３ｃｂａとの対向面２３ａｃｂに配置される。第２凸部２３ａｅｐは、外周部フィルタカバー２３ａｃの周方向に沿って円環状に形成されている。
【００６０】
外周部フィルタカバー２３ａｃの第１凸部２３ａｃｐと、内周部フィルタカバー２３ａｅの第２凸部２３ａｅｐは、脱臭フィルタ２３ａａの厚み方向における脱臭フィルタ２３ａａと前面側放熱板２３ｃａとの間隔、脱臭フィルタ２３ａａと背面側放熱板２３ｃｂとの間隔を規制する位置規制手段として機能する。つまり、脱臭フィルタ２３ａａの回転時等に第１凸部２３ａｃｐ及び第２凸部２３ａｅｐが、前面側放熱板２３ｃａのフィルタ対向面２３ｃａａと、背面側放熱板２３ｃｂのフィルタ対向面２３ｃｂａとに接触することで、脱臭フィルタ２３ａａが各フィルタ対向面２３ｃａａ、２３ｃｂａと接触することを防ぐ。
【００６１】
また、第１凸部２３ａｃｐ及び第２凸部２３ａｅｐの先端の幅は、基端（根元）側の厚みよりも小さくなるように形成されている。例えば、第１凸部２３ａｃｐ、第２凸部２３ａｅｐは先端が断面円弧状に形成されており（図１５参照）、第１凸部２３ａｃｐ及び第２凸部２３ａｅｐと、各フィルタ対向面２３ｃａａ、２３ｃｂａとが点接触することによって、脱臭フィルタ部２３ａの回転抵抗が抑えられている。
【００６２】
図１３Ｂに示すように、円筒状のシャフト部材２３ｘｅは、背面側ケース部材２３ｅｂの軸部２３ｘａの外周部に配置されており、前面側放熱板２３ｃａと背面側放熱板２３ｃｂとの間に挟まれている。すなわち、シャフト部材２３ｘｅの両端は、図１４に示すように、前面側放熱板２３ｃａのフィルタ対向面２３ｃａａと、背面側放熱板２３ｃｂのフィルタ対向面２３ｃｂａとにそれぞれ突き当てられている。このため、シャフト部材２３ｘｅは、脱臭フィルタ２３ａａの厚み方向における前面側放熱板２３ｃａと背面側放熱板２３ｃｂとの間隔を規制する規制部材として機能する。したがって、シャフト部材２３ｘｅによって、前面側放熱板２３ｃａと背面側放熱板２３ｃｂの一端側（脱臭フィルタ２３ａａの内周側）の間隔が一定に規制されており、ＰＴＣヒータ２３ｂによって、前面側放熱板２３ｃａと背面側放熱板２３ｃｂの他端側（脱臭フィルタ２３ａａの外周側）の間隔が一定に規制されている。したがって、シャフト部材２３ｘｅと同様にＰＴＣヒータ２３ｂも、上述した規制部材として機能している。
【００６３】
加えて、シャフト部材２３ｘｅは、熱伝導性を有することにより、前面側放熱板２３ｃａと背面側放熱板２３ｃｂとの間で相互に熱伝導させることが可能となり、前面側放熱板２３ｃａと背面側放熱板２３ｃｂの温度が均一化される。このように前面側放熱板２３ｃａ及び背面側放熱板２３ｃｂからシャフト部材２３ｘｅへ熱伝導させると共に、シャフト部材２３ｘｅの内周面と軸部２３ｘａの外周面との間の隙間の空気層が断熱層として作用することで、前面側放熱板２３ｃａ及び背面側放熱板２３ｃｂから、前面側ケース部材２３ｅａ及び背面側ケース部材２３ｅｂへ熱が逃げることが抑えられており、ＰＴＣヒータ２３ｂが前面側放熱板２３ｃａ及び背面側放熱板２３ｃｂを効率的に加熱することができる。
【００６４】
さらに、シャフト部材２３ｘｅは、外周面によって脱臭フィルタ部２３ａの内周部フィルタカバー２３ａｅの貫通孔２３ａｄを回転自在に支持すると共に、内周面が背面側ケース部材２３ｅｂの軸部２３ｘａに支持されている。樹脂製の軸部２３ｘａは、金属製のシャフト部材２３ｘｅを介して、樹脂製の内周部フィルタカバー２３ａｅを支持する。このように摺動相手（軸部２３ｘａとシャフト部材２３ｘｅ）を異種材料とすることで、摺動相手を同種材料の場合と比べて摩擦摩耗特性を良くし、脱臭フィルタ部２３ａの回転抵抗を小さくし、軸部２３ｘａ及び貫通孔２３ａｄに生じる摩耗を抑える。これにより、脱臭フィルタ部２３ａの円滑な回転動作を実現し、脱臭フィルタ部２３ａの回転時の騒音が抑えられる。
【００６５】
図１５及び図１６は、実施例における第１凸部２３ａｃｐの突出量を説明するための模式図である。図１５に示すように、脱臭フィルタ２３ａａの厚み方向（Ｘ方向）において、フィルタ対向面２３ｃａａ側の第１凸部２３ａｃｐの先端とフィルタ対向面２３ｃａｂ側の第１凸部２３ａｃｐの先端との間の長さをＴとし、前面側放熱板２３ｃａのフィルタ対向面２３ｃａａと背面側放熱板２３ｃｂのフィルタ対向面２３ｃｂａとの間隔をＤとしたとき、第１凸部２３ａｃｐは、Ｄ＞Ｔを満たすように、所望の突出量で形成されている。第１凸部２３ａｃｐの突出量は、例えば、０．３ｍｍ程度に設定されている。これにより、脱臭フィルタ部２３ａの回転時等における第１凸部２３ａｃｐと、外周部フィルタカバー２３ａｃとの接触を防ぐ。図示しないが、第２凸部２３ａｅｐの突出量も、第１凸部２３ａｃｐの突出量と同様に形成されており、第２凸部２３ａｅｐと、前面側放熱板２３ｃａ及び背面側放熱板２３ｃｂとの接触を防ぐ。
【００６６】
また、上述した実施例では、脱臭フィルタ部２３ａの外周部フィルタカバー２３ａｃの両面に第１凸部２３ａｃｐが形成されたが、図１６に示すように、前面側放熱板２３ｃａのフィルタ対向面２３ｃａａ、背面側放熱板２３ｃｂのフィルタ対向面２３ｃｂａに、脱臭フィルタ２３ａａの厚み方向における位置を規制する第１凸部２３ｃａｐ、２３ｃｂｐが形成されてもよい。この場合、前面側放熱板２３ｃａの第１凸部２３ｃａｐと、背面側放熱板２３ｃｂの第１凸部２３ｃｂｐは、外周部フィルタカバー２３ａｃに対向する位置に設けられており、脱臭フィルタ２３ａａの周方向に沿って円弧状に形成されている。
【００６７】
図１６に示すように、放熱板２３ｃにおいても、脱臭フィルタ２３ａａの厚み方向において、第１凸部２３ｃａｐの先端と第１凸部２３ｃｂｐの先端との間の間隔をＤ１とし、外周部フィルタカバー２３ａｃの厚みをＴ１としたとき、第１凸部２３ｃａｐ、２３ｃｂｐは、Ｄ１＞Ｔ１を満たすように、所望の突出量で形成されている。これにより、脱臭フィルタ部２３ａの回転時等における第１凸部２３ｃａｐ、２３ｃｂｐと、外周部フィルタカバー２３ａｃとの接触を防ぐ。また第１凸部２３ｃａｐ、２３ｃｂｐと同様に、前面側放熱板２３ｃａ及び背面側放熱板２３ｃｂには、内周部フィルタカバー２３ａｅの両面に対向する位置に第２凸部（図示せず）が設けられてもよい。この場合も、前面側放熱板２３ｃａ及び背面側放熱板２３ｃｂの第２凸部の突出量も、第１凸部２３ｃａｐ、２３ｃｂｐの突出量と同様に形成されており、第２凸部と、脱臭フィルタ部２３ａとの接触が抑えられる。
【００６８】
また、上述した実施例では、脱臭フィルタ部２３ａの第１凸部２３ａｃｐ及び第２凸部２３ａｅｐ、放熱板２３ｃの第１凸部２３ｃａｐ、２３ｃｂｐ及び第２凸部により、脱臭フィルタ２３ａａの厚み方向において、放熱板２３ｃに対する脱臭フィルタ２３ａａの位置が規制されたが、ケース２３ｅによって脱臭フィルタ２３ａａの位置が規制されてもよい。図１７は、変形例の脱臭フィルタ部を説明するための斜視図である。
【００６９】
図１７に示すように、フィルタ再生部２３ｆのケース２３ｅの前面側ケース部材２３ｅａには、脱臭フィルタ部２３ａの周方向（回転方向）における両側に、第１凸部２３ｅａｐ及び第２凸部２３ｅａｓがそれぞれ形成されている。第１凸部２３ｅａｐは、脱臭フィルタ部２３ａの外周部フィルタカバー２３ａｃに対向する位置に設けられており、外周部フィルタカバー２３ａｃに接触する突起（不図示）を有する。第２凸部２３ｅａｓは、脱臭フィルタ部２３ａの内周部フィルタカバー２３ａｅに対向する位置に設けられており、内周部フィルタカバー２３ａｅに接触する突起（不図示）を有する。第１凸部２３ｅａｐ及び第２凸部２３ｅａｓは、樹脂材と摩擦係数が異なる金属材料等によって形成されることが好ましい。これにより、樹脂製の外周部フィルタカバー２３ａｃ及び内周部フィルタカバー２３ａｅと第１凸部２３ｅａｐ及び第２凸部２３ｅａｓの摺動性を確保することができる。第１凸部２３ｅａｐ及び第２凸部２３ｅａｓの突出量も、上述した放熱板２３ｃの第１凸部２３ｃａｐ、２３ｃｂｐの突出量と同様に形成されており、放熱板２３ｃと脱臭フィルタ２３ａａとの接触が抑えられている。なお、図示しないが、前面側ケース部材２３ｅａの第１凸部２３ｅａｐ及び第２凸部２３ｅａｓと同様に、背面側ケース部材２３ｅｂには、第１凸部及び第２凸部がそれぞれ一体に形成されている。
【００７０】
［空気清浄機の動作］
空気清浄機１は、使用者が操作部１５を操作することで、運転を開始する。空気清浄機１は、運転を開始したとき、送風機２５が駆動されると共に、集塵ユニット２２の第１電気集塵機２２ａ及び第２電気集塵機２２ｂが通電され、加湿ユニット２４の加湿フィルタ２４ａが回転を開始する。空気清浄機１は、送風機２５が駆動されることで、上面吸込口１３ａ、右側面吸込口１３ｂ、左側面吸込口１３ｃ及び下側吸込口１３ｄから、本体筐体１１の内部へ空気が吸い込まれる。
【００７１】
本体筐体１１の内部に吸い込まれた空気は、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって通風路１０を流れる。通風路１０を流れる空気は、まず、プレフィルタ２１によって塵埃が捕集される。プレフィルタ２１によって塵埃が捕集された空気は、プレフィルタ２１で捕集されなかった細かな塵埃や花粉等が、集塵ユニット２２によって捕集される。集塵ユニット２２によって塵埃が捕集された空気は、一部が脱臭ユニット２３に供給され、残りが加湿ユニット２４に供給される。
【００７２】
脱臭ユニット２３に供給された空気は、保持部２３ｇの開口部２３ｇｄを介して、脱臭フィルタ２３ａａにおけるフィルタ再生部２３ｆによって覆われていない通風面に供給される。脱臭フィルタ２３ａａの通風面に供給された空気は、脱臭フィルタ２３ａａを通過することにより、臭気成分が除去され、脱臭される。このとき、脱臭ユニット２３の脱臭フィルタ２３ａａは、脱臭ユニット２３に供給された空気が、プレフィルタ２１と集塵ユニット２２とにより塵埃や花粉等があらかじめ除去されていることにより、塵埃や花粉等によって目詰まりすることが防止される。
【００７３】
脱臭ユニット２３により脱臭された空気は、一部が加湿ユニット２４に供給され、残りが送風機２５に供給される。加湿ユニット２４に供給された空気は、加湿ユニット２４により加湿される。加湿ユニット２４によって加湿された空気は、送風機２５に供給される。送風機２５に供給された空気は、上面吹出口１４ａ、右側面吹出口１４ｂ及び左側面吹出口１４ｃから、空気清浄機１の外部へ吹き出される。
【００７４】
空気清浄機１は、運転中に、ＰＴＣヒータ２３ｂに継続して通電を行うと共に、駆動部２３ｈを駆動させることで、脱臭フィルタ部２３ａを所定時間毎に所定の回転角度を回転させる。所定時間は、脱臭フィルタ部２３ａの脱臭能力を再生するために必要な処理時間であり、例えば、１．５時間が例示される。所定の回転角度としては、３６度が例示される。空気清浄機１は、脱臭フィルタ部２３ａを回転させることにより、脱臭フィルタ２３ａａの周方向におけるフィルタ再生部２３ｆで覆われる部分の脱臭能力を再生する。すなわち、空気清浄機１は、脱臭フィルタ２３ａａのフィルタ再生部２３ｆで覆われる位置の脱臭能力の再生を行いつつ、脱臭フィルタ２３ａａのフィルタ再生部２３ｆで覆われていない部分を通過する空気を脱臭する。
【００７５】
上述のように実施例の脱臭ユニット２３が有するフィルタ再生部２３ｆの外周部フィルタカバー２３ａｃ及び内周部フィルタカバー２３ａｅには、脱臭フィルタ２３ａａの厚み方向における脱臭フィルタ２３ａａと放熱板２３ｃとの間隔を規制する位置規制手段としての第１凸部２３ａｃｐ及び第２凸部２３ａｅｐが設けられている。ケース２３ｅに独立部品であるボビン等の規制部材を組み付けることなく、第１凸部２３ａｃｐ及び第２凸部２３ａｅｐの簡素な構成によって、脱臭フィルタ２３ａａと放熱板２３ｃとの間隔を適正に規制することができる。したがって、脱臭フィルタ２３ａａと放熱板２３ｃとの間隔を小さくすることで脱臭フィルタ２３ａａの加熱温度を高めて、脱臭フィルタ２３ａａを再生する効率を高めると共に、脱臭フィルタ２３ａａの破損を防ぐことができる。
【００７６】
また、脱臭フィルタ部２３ａが第１凸部２３ａｃｐ及び第２凸部２３ａｅｐを有する構成に限定されるものではなく、放熱板２３ｃが第１凸部及び第２凸部を有してもよく、ケース２３ｅが第１凸部及び第２凸部を有してもよい。いずれの場合も同様の効果が得られる。また、脱臭フィルタ部２３ａ、放熱板２３ｃ、ケース２３ｅのそれぞれが第１凸部及び第２凸部を有してもよく、この場合は、前面側放熱板２３ｃａと背面側放熱板２３ｃｂとの間において、脱臭フィルタ２３ａａの厚み方向に対する脱臭フィルタ２３ａａの位置を規制する精度、規制状態の信頼性を高めることができる。したがって、例えば、脱臭フィルタ２３ａａが撓んだ場合であっても、脱臭フィルタ２３ａａと放熱板２３ｃとが接触することを防ぐことができる。
【００７７】
なお、第１凸部２３ａｃｐは、外周部フィルタカバー２３ａｃの両面に一箇所ずつ（脱臭フィルタ２３ａａの径方向に一箇所ずつ）設けられたが、脱臭フィルタ２３ａａの径方向における複数箇所に設けられてもよく、脱臭フィルタ２３ａａの厚み方向に対する脱臭フィルタ２３ａａの位置の規制状態の信頼性を高めることができる。これと同様に、第２凸部２３ａｅｐについても、内周部フィルタカバー２３ａｅの両面に一箇所ずつ（脱臭フィルタ２３ａａの径方向に一箇所ずつ）設けられたが、脱臭フィルタ２３ａａの径方向における複数箇所に設けられてもよい。
【００７８】
また、実施例の脱臭ユニット２３における第１凸部２３ａｃｐ（第２凸部２３ａｅｐ）は、脱臭フィルタ２３ａａの厚み方向において、前面側放熱板２３ｃａと背面側放熱板２３ｃｂとの対向間隔をＤ、外周部フィルタカバー２３ａｃの両面の各第１凸部２３ａｃｐの先端間の厚み（内周部フィルタカバー２３ａｅの両面の各第２凸部２３ａｅｐの先端間の厚み）をＴとしたとき、Ｄ＞Ｔを満たす。これにより、第１凸部２３ａｃｐ（第２凸部２３ａｅｐ）によって、脱臭フィルタ２３ａａの位置を規制すると共に、脱臭フィルタ２３ａａと放熱板２３ｃとの接触を抑えることが可能になり、脱臭フィルタ２３ａａの回転抵抗を防ぐことができる。
【００７９】
また、実施例の脱臭ユニット２３における脱臭フィルタ部２３ａが有する第１凸部２３ａｃｐ、第２凸部２３ａｅｐの先端の幅は、基端側の幅よりも小さくなるように形成されている。これにより、第１凸部２３ａｃｐ、第２凸部２３ａｅｐの機械的強度を下げずに、放熱板２３ｃとの接触面積を小さくすることができる。これにより、第１凸部２３ａｃｐ、第２凸部２３ａｅｐが放熱板２３ｃに接触したときの脱臭フィルタ２３ａａの回転抵抗を小さくすることができる。
【００８０】
また、実施例の脱臭ユニット２３におけるフィルタ再生部２３ｆは、位置規制手段の規制部材として、前面側放熱板２３ｃａと背面側放熱板２３ｃｂとの間に挟まれて配置されるシャフト部材２３ｘｅを有する。これにより、前面側放熱板２３ｃａと背面側放熱板２３ｃｂとの間の隙間を、シャフト部材２３ｘｅによって規制することが可能になり、脱臭フィルタ２３ａａの厚み方向において前面側放熱板２３ｃａと背面側放熱板２３ｃｂとの間の隙間を確保することができる。これにより、脱臭フィルタ２３ａａと放熱板２３ｃとの間隔を適正に規制することができる。また、本実施例では、ＰＴＣヒータ２３ｂも、シャフト部材２３ｘｅと同様に、規制部材として機能している。
【００８１】
また、実施例の脱臭ユニット２３におけるシャフト部材２３ｘｅは、熱伝導性を有する材料によって形成されている。これにより、前面側放熱板２３ｃａと背面側放熱板２３ｃｂとの間で、シャフト部材２３ｘｅを介して熱伝導させることが可能になり、ＰＴＣヒータ２３ｂによって前面側放熱板２３ｃａと背面側放熱板２３ｃｂを効率的に加熱し、前面側放熱板２３ｃａと背面側放熱板２３ｃｂの温度分布を均一化することができる。その結果、放熱板２３ｃによって脱臭フィルタ２３ａａを加熱する効率を高めることができる。
【００８２】
また、実施例の脱臭ユニット２３におけるフィルタ再生部２３ｆは、円筒状のシャフト部材２３ｘｅが、背面側ケース部材２３ｅｂの軸部２３ｘａの外周部に設けられている。これにより、シャフト部材２３ｘｅと軸部２３ｘａとの間の隙間の空気層によって断熱することが可能になり、放熱板２３ｃからケース２３ｅへ熱が逃げることを抑えることができる。
【符号の説明】
【００８３】
１  空気清浄機
２３  脱臭ユニット（吸着ユニット）
２３ａ  脱臭フィルタ部
２３ａａ  脱臭フィルタ（フィルタ）
２３ｂ  ＰＴＣヒータ
２３ｃ  放熱板
２３ｃａ  前面側放熱板（第１板）
２３ｃｂ  背面側放熱板（第２板）
２３ｆ  フィルタ再生部
２３ｅ  ケース
２３ｅａ  前面側ケース部材
２３ｅｂ  背面側ケース部材
２３ｅｃ、２３ｅｄ  加熱空間部（加熱空間）
２３ｈ  駆動部
２３ｘａ  軸部
２３ａｃ  外周部フィルタカバー（外周部）
２３ａｃｐ  第１凸部
２３ａｅ  内周部フィルタカバー（内周部）
２３ａｅｐ  第２凸部
２３ｘｅ  シャフト部材（規制部材）
【図１】
2018140372.tif 000003
【図２】
2018140372.tif 000004
【図３】
2018140372.tif 000005
【図４】
2018140372.tif 000006
【図５】
2018140372.tif 000007
【図６】
2018140372.tif 000008
【図７】
2018140372.tif 000009
【図８】
2018140372.tif 000010
【図９】
2018140372.tif 000011
【図１０】
2018140372.tif 000012
【図１１】
2018140372.tif 000013
【図１２】
2018140372.tif 000014
【図１３Ａ】
2018140372.tif 000015
【図１３Ｂ】
2018140372.tif 000016
【図１４】
2018140372.tif 000017
【図１５】
2018140372.tif 000018
【図１６】
2018140372.tif 000019
【図１７】
2018140372.tif 000020